(57)【特許請求の範囲】
【請求項１】
空気調和機本体内に送風機の上ケースを固定し、この上ケースに送風機の羽根車を包囲するように下ケースを着脱自在に固定した天吊型空気調和装置において、前記上ケースのファンノズル部にブラケットを設け、このブラケットに送風機の吸込口に臨む温度センサを保持するクランパを挿入するクランパ収容孔を設け、このクランパ収容孔にクランパに設けられた突起が嵌合する切欠きを設け、クランパをクランパ収容孔に挿入し、突起と切欠きとを嵌合させることにより温度センサを上ケースに固定することを特徴とする天吊型空気調和装置。
【発明の詳細な説明】
【０００１】
【発明の属する技術分野】
本発明は、天吊型空気調和装置の温度センサの取付構造に関する。
【０００２】
【従来の技術】
一般に、天吊型空気調和装置では、空気調和機本体内に電装箱、送風機、熱交換器、冷媒配管等の各種機器類が殆ど隙間なく収納される。送風機は、複数台の送風機ユニットからなり、これらは一台のモータで駆動される回転軸上に固定・配置される。この種の天吊型空気調和装置では、室内空気温度を検出する温度センサが空気調和機本体に設けられる。従来、温度センサの感温部は、例えば電装箱の本体に取り付けられたり、空気調和機本体の天板或いは側板に取り付けられたりするが、何れの取付箇所も室内空気の流れが悪い部分であるために、室内温度を正確に検出することができない。この温度を正確に検出するためにはセンサ感温部を送風機のファンノズル部に取り付けることが望ましい。
【０００３】
【発明が解決しようとする課題】
しかしながら、天吊型空気調和装置では、空気調和機本体内に送風機の上ケースを固定し、この上ケースに送風機の羽根車を包囲するように下ケースを着脱自在に接合するのが一般的である。この場合において、前記のようにセンサ感温部を送風機のファンノズルに取り付けると、送風機のメンテナンス時に下ケースを取り外して、羽根車を取り出す場合、センサにつながる配線が邪魔になって、送風機のメンテナンスが困難になるという問題がある。
【０００４】
また、温度センサの感温部を、前記のように電装箱の本体に取り付けたり、空気調和機本体の天板或いは側板に取り付けたりする場合、取付部材を別部品として準備しなければならず、コスト高になるという問題がある。
【０００５】
本発明の目的は、上述した従来の技術が有する課題を解消し、別部品を用いることなく温度センサの取付けを行うことができ、取付作業が容易な温度センサの取付け構造を提供することにある。
【０００６】
【課題を解決するための手段】
請求項１記載の発明は、空気調和機本体内に送風機の上ケースを固定し、この上ケースに送風機の羽根車を包囲するように下ケースを着脱自在に固定した天吊型空気調和装置において、前記上ケースのファンノズル部にブラケットを設け、このブラケットに送風機の吸込口に臨む温度センサを保持するクランパを挿入するクランパ収容孔を設け、このクランパ収容孔にクランパに設けられた突起が嵌合する切欠きを設け、クランパをクランパ収容孔に挿入し、突起と切欠きとを嵌合させることにより温度センサを上ケースに固定することを特徴とするものである。
【０００９】
これらの発明によれば、空気調和機本体に固定されている送風機の上ケースに温度センサが取り付けられるため、下ケースを空気調和機本体から完全に分離させることができる。また、温度センサは、吸込口に臨む位置、すなわち吸込風量が多い位置に取り付けられるため、室温を正確に検出することができる。
【００１０】
【発明の実施の形態】
以下、本発明の一実施形態を図面に基づいて説明する。
【００１１】
図１において、符号１は空気調和機本体を示す。この空気調和機本体１は天井から吊り下げられた吊りボルト３に引っかけられて室内天井板５の下面に設置・固定されている。空気調和機本体１には電装箱１１、送風機１３、熱交換器１５、冷媒配管２９等の各種機器類が殆ど隙間なく収納されている。送風機１３は、図２に示すように四台の送風機ユニット２１〜２４からなり、これらは一台のモータ２５で駆動される回転軸２７上に固定・配置されている。
【００１２】
図３は送風機ユニット２３の側面図である。ほかの送風機ユニット２１，２２，２４はこの送風機ユニット２３とほぼ構成が同じであるので、その説明は省略する。送風機ユニット２３は、空気調和機本体１の略中央を横断的に仕切る中仕切板４３に取り付けられる。この送風機ユニット２３は、前記回転軸２７に取り付けられる羽根車４５と、この羽根車４５を囲むファンケース４７とを備え、このファンケース４７は上ケース４７ａと下ケース４７ｂとで構成される。下ケース４７ｂはフック４９を介して上ケース４７ａに着脱自在であり、前記下ケース４７ｂを取り外して羽根車４５等のメンテナンスを行うことが可能である。５０は吸込口であり、５０ａはファンノズル部である。
【００１３】
熱交換器１５は、図１に示すようにフィン・チューブ型の熱交換器であり、空気調和機本体１内に斜めに設置される。この熱交換器１５には冷媒配管２９が接続され、この冷媒配管２９は空気調和機本体１の外に導出され、室外機（図示せず）の圧縮機、室外熱交換器等に接続される。
【００１４】
この熱交換器１５の下方には、図１に示すように発泡スチロール製のドレンパン３１が設置され、このドレンパン３１の下面には板金製パネル３３が設置される。ドレンパン３１のドレン溜まり３１ａには、図２に示すようにフレキシブルチューブ３２を介してドレンポンプユニット３５が接続され、このドレンポンプユニット３５に収容されるドレンポンプは、ドレン溜まり３１ａに収集されたドレンを吸い上げて空気調和機本体１の外に排出する。
【００１５】
送風機１３の下方には、図１に示すように樹脂製の吸込グリル３７が開閉可能に設置され、この吸込グリル３７には空気清浄用フィルタ３９が取り付けられる。そして、送風機１３が駆動されると吸込グリル３７およびフィルタ３９を通じて室内の空気が空気調和機本体１内に吸い込まれ、この空気は熱交換器１５で熱交換された後に、吹出口４１を通じて室内に吹き出される。
【００１６】
この実施形態では、四台の送風機ユニット２１〜２４の内の電装箱１１に配線の長さが最短となる送風機ユニット２２の上ケース４７ａに、図３に示すように、室内の空気の温度を検出するための温度センサ５１が取付けられる。上ケース４７ａのファンノズル部５０ａには、図５に示すように、ブラケット６７（センサ取付部）が設けられ、このブラケット６７にはクランパ収容孔６９が設けられる。このクランパ収容孔６９は相互に対称的である２個の切欠き６９ａを備える。クランパ収容孔６９には、図３に示すように、クランパ５７が収容される。このクランパ５７には、図４に示すようにセンサ受け部５９が形成され、この受け部５９には温度センサ５１の配線部５５が保持される。クランパ５７には略中央にストッパ６１が形成され、先端側には挿入部６３が形成され、この挿入部６３のストッパ６１側には、相互に対称的である２個の突起６３ａが設けられる。
【００１７】
温度センサ５１を上ケース４７ａに取り付ける場合には、温度センサ５１に予め装着されたクランパ５７の挿入部６３をクランパ収容孔６９に挿入し、挿入部６３の突起６３ａとブラケット６７の切欠き６９ａとを嵌合させる。これにより、温度センサ５１が上ケース４７ａに簡単に固定される。
【００１８】
このように挿入部６３の突起６３ａとブラケット６７の切欠き６９ａが嵌合して固定されるため、温度センサ５１が回転することはなく、送風機ユニットの吸込口５０の所定位置に安定して温度センサ５１を固定することができる。
【００１９】
この実施形態では、空気調和機本体に固定されている上ケース４７ａに温度センサ５１が取り付けられるために、羽根車４５などのメンテナンス時には下ケース４７ｂを完全に分離させても配線部５５が邪魔になることはなく、羽根車４５を簡単に取り出すことができる。温度センサ５１はファンノズル部５０ａに取り付けられ、感温部５３が吸込口５０に臨む位置、すなわち吸込風量が多い位置に取り付けられるため、室温を正確に検出することができる。
【００２０】
この実施形態では、従来のものと異なり、別途取付部材等を必要とせず、クランパ５７にセンサを保持した状態でこのクランパ５７をクランパ収容孔６９に挿入し、挿入部６３の突起６３ａとブラケット６７の切欠き６９ａとを嵌合させるだけでよいので、センサの装着は極めて簡単である。
【００２１】
以上、一実施形態に基づいて本発明を説明したが、本発明はこれに限定されるものではない。例えばブラケット６７やクランパ５７の位置や形状は、上述した位置や形状に限定されず、取り付けられた温度センサ５１の感温部５３が吸込風量の多い位置に配置されるように構成されればよい。
【００２２】
【発明の効果】
この発明によれば、空気調和機本体に固定されている送風機の上ケースに温度センサが取り付けられるため、温度センサの配線部が邪魔にならず、下ケースを空気調和機本体から簡単に分離させることができる。また、温度センサは、吸込口に臨む位置、すなわち吸込風量が多い位置に取り付けられるため、室温を正確に検出することができる。
【図面の簡単な説明】
【図１】本発明による空気調和装置の一実施形態を示す側面断面図である。
【図２】同じく内部構造を示す平面図である。
【図３】温度センサが取り付けられた送風機ユニットを示す側面図である。
【図４】クランパが取り付けられた温度センサを示す斜視図である。
【図５】上ケースに一体に設けられたブラケットのクランパ収容孔を示す図である。
【符号の説明】
１  空気調和機本体
１３  送風機
５１  温度センサ
５３  感温部
５５  配線部
５７  クランパ
５９  センサ受け部
６１  ストッパ
６３  挿入部
６３ａ  突起
６７  ブラケット
６９  クランパ収容孔
６９ａ  切欠き
【図１】
0003599974.tif 000002
【図２】
0003599974.tif 000003
【図３】
0003599974.tif 000004
【図４】
0003599974.tif 000005
【図５】
0003599974.tif 000006